(57)【特許請求の範囲】
【請求項１】
アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側の上記ファクシミリ装置の電話番号を通知する一方、
上記送信側のリアルタイムインターネットゲートウェイ装置は、所定の伝送前手順において、上記送信側ファクシミリ装置より通知された電話番号を抽出し、受信側インターネットゲートウェイ装置へ接続要求し、上記抽出した上記受信側ファクシミリ装置の電話番号を通知し、
上記受信側インターネットゲートウェイ装置は、上記送信側インターネットゲートウェイ装置から通知された上記受信側ファクシミリ装置の電話番号を用いて、上記受信側ファクシミリ装置へ発呼することを特徴とするインターネットファクシミリ通信システムの制御方法。
【請求項２】
アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側の上記ファクシミリ装置の電話番号および認証用パスワードを通知する一方、
上記送信側のリアルタイムインターネットゲートウェイ装置は、所定の伝送前手順において、上記送信側ファクシミリ装置より通知された電話番号および認証用パスワードを抽出し、その抽出した認証用パスワードにより上記送信側ファクシミリ装置を接続可能と判断したときには、受信側インターネットゲートウェイ装置へ接続要求し、上記抽出した上記受信側ファクシミリ装置の電話番号を通知し、
上記受信側インターネットゲートウェイ装置は、上記送信側インターネットゲートウェイ装置から通知された上記受信側ファクシミリ装置の電話番号を用いて、上記受信側ファクシミリ装置へ発呼することを特徴とするインターネットファクシミリ通信システムの制御方法。
【請求項３】
アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側の上記ファクシミリ装置の電話番号を通知する一方、
上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータから電話番号を抽出し、受信側インターネットゲートウェイ装置へ接続要求し、上記抽出した上記受信側ファクシミリ装置の電話番号を通知し、
上記受信側インターネットゲートウェイ装置は、上記送信側インターネットゲートウェイ装置から通知された上記受信側ファクシミリ装置の電話番号を用いて、上記受信側ファクシミリ装置へ発呼することを特徴とするインターネットファクシミリ通信システムの制御方法。
【請求項４】
アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側の上記ファクシミリ装置の電話番号および認証用パスワードを通知する一方、
上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータから電話番号および認証用パスワードを抽出し、その抽出した認証用パスワードにより上記送信側ファクシミリ装置を接続可能と判断したときには、受信側インターネットゲートウェイ装置へ接続要求し、上記抽出した上記受信側ファクシミリ装置の電話番号を通知し、
上記受信側インターネットゲートウェイ装置は、上記送信側インターネットゲートウェイ装置から通知された上記受信側ファクシミリ装置の電話番号を用いて、上記受信側ファクシミリ装置へ発呼することを特徴とするインターネットファクシミリ通信システムの制御方法。
【請求項５】
アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側端末装置のＩＰアドレスを通知する一方、
上記送信側のリアルタイムインターネットゲートウェイ装置は、所定の伝送前手順において、上記送信側ファクシミリ装置より通知されたＩＰアドレスを抽出し、受信側インターネットゲートウェイ装置へ接続要求し、上記抽出したＩＰアドレスを通知し、
上記受信側インターネットゲートウェイ装置は、上記送信側インターネットゲートウェイ装置から通知されたＩＰアドレスを用いて、宛先の上記端末装置へ接続要求することを特徴とするインターネットファクシミリ通信システムの制御方法。
【請求項６】
アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側端末装置のＩＰアドレスおよび認証用パスワードを通知する一方、
上記送信側のリアルタイムインターネットゲートウェイ装置は、所定の伝送前手順において、上記送信側ファクシミリ装置より通知されたＩＰアドレスおよび認証用パスワードを抽出し、その抽出した認証用パスワードにより上記送信側ファクシミリ装置を接続可能と判断したときには、受信側インターネットゲートウェイ装置へ接続要求し、上記抽出したＩＰアドレスを通知し、
上記受信側インターネットゲートウェイ装置は、上記送信側インターネットゲートウェイ装置から通知されたＩＰアドレスを用いて、宛先の上記端末装置へ接続要求することを特徴とするインターネットファクシミリ通信システムの制御方法。
【請求項７】
アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側端末装置のＩＰアドレスを通知する一方、
上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータからＩＰアドレスを抽出し、受信側インターネットゲートウェイ装置へ接続要求し、上記抽出したＩＰアドレスを通知し、
上記受信側インターネットゲートウェイ装置は、上記送信側インターネットゲートウェイ装置から通知されたＩＰアドレスを用いて、宛先の上記端末装置へ接続要求することを特徴とするインターネットファクシミリ通信システムの制御方法。
【請求項８】
アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側端末装置のＩＰアドレスおよび認証用パスワードを通知する一方、
上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータからＩＰアドレスおよび認証用パスワードを抽出し、その抽出した認証用パスワードにより上記送信側ファクシミリ装置を接続可能と判断したときには、受信側インターネットゲートウェイ装置へ接続要求し、上記抽出したＩＰアドレスを通知し、
上記受信側インターネットゲートウェイ装置は、上記送信側インターネットゲートウェイ装置から通知されたＩＰアドレスを用いて、宛先の上記端末装置へ接続要求することを特徴とするインターネットファクシミリ通信システムの制御方法。
【請求項９】
アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、
上記アナログ網は、発信者番号通知機能を備えるとともに、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側の上記ファクシミリ装置の電話番号を通知する一方、
上記送信側のリアルタイムインターネットゲートウェイ装置は、所定の伝送前手順において、上記送信側ファクシミリ装置より通知された電話番号を抽出する一方、その着信時に上記アナログ公衆網から通知された発信者番号に基づいて上記送信側ファクシミリ装置を接続可能と判断したときには、受信側インターネットゲートウェイ装置へ接続要求し、上記抽出した上記受信側ファクシミリ装置の電話番号を通知し、
上記受信側インターネットゲートウェイ装置は、上記送信側インターネットゲートウェイ装置から通知された上記受信側ファクシミリ装置の電話番号を用いて、上記受信側ファクシミリ装置へ発呼することを特徴とするインターネットファクシミリ通信システムの制御方法。
【請求項１０】
アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、
上記アナログ網は、発信者番号通知機能を備えるとともに、
送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側端末装置のＩＰアドレスを通知する一方、
上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータからＩＰアドレスを抽出する一方、その着信時に上記アナログ公衆網から通知された発信者番号に基づいて上記送信側ファクシミリ装置を接続可能と判断したときには、受信側インターネットゲートウェイ装置へ接続要求し、上記抽出したＩＰアドレスを通知し、
上記受信側インターネットゲートウェイ装置は、上記送信側インターネットゲートウェイ装置から通知されたＩＰアドレスを用いて、宛先の上記端末装置へ接続要求することを特徴とするインターネットファクシミリ通信システムの制御方法。
【発明の詳細な説明】
【０００１】
【発明の属する技術分野】
本発明は、アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法、および、アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法に関する。
【０００２】
【従来の技術】
近年、インターネット上でやりとりする電子メールを用いて、ファクシミリ画情報を通信する通信システム（以下、「メール型インターネットファクシミリ通信システム」という。）が実用されるようになってきている。このような通信システムについては、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００３】
しかしながら、このメール型インターネットファクシミリ通信システムでは、送信側ファクシミリ装置と最終宛先ファクシミリ装置が直接通信するわけではないので、ファクシミリ装置相互間における通信能力の確認が即時的に行えず、そのために、ファクシミリ装置の種々の機能（解像度、画像処理能力など）を利用した画情報通信を行えないという事態を生じる。また、通信結果の通知も即時的に行えないので、送信側ユーザに通信結果が通知されるまで時間がかかり、再送信などの必要性が生じた場合の対処が遅れるという事態も生じる。
【０００４】
そこで、インターネットを利用したファクシミリ通信システムとして、公衆網を介してファクシミリ装置と画情報をやりとりする機能と、インターネットを介して情報をやりとりする機能を備えるリアルタイムインターネットゲートウェイ装置を複数設け、このリアルタイムインターネットゲートウェイ装置を２つ用い、インターネットを介してファクシミリ装置間のファクシミリ通信をリアルタイムに実現するリアルタイム型インターネットファクシミリ通信システムが提案されつつある（ＩＴＵ−Ｔ勧告Ｔ．３８参照）。
【０００５】
このようなリアルタイム型インターネットファクシミリ通信システムでは、送信側ファクシミリ装置は受付側リアルタイムインターネットゲートウェイ装置へ発呼して、宛先電話番号を通知し、受付側リアルタイムインターネットゲートウェイ装置では、リモート側リアルタイムインターネットゲートウェイ装置に対し、送信側ファクシミリ装置より通知された宛先電話番号を通知して、接続要求する。
【０００６】
リモート側リアルタイムインターネットゲートウェイ装置は、通知された宛先電話番号へ発呼し、回線が確立すると、受信側ファクシミリ装置との間で所定のグループ３ファクシミリ伝送手順を開始するとともに、所定のリアルタイム伝送手順を開始する。
【０００７】
それにより、受付側リアルタイムインターネットゲートウェイ装置は、送信側グループ３ファクシミリ装置との間でグループ３ファクシミリ伝送手順を開始するとともに、リモート側リアルタイムインターネットゲートウェイ装置との間で所定のリアルタイム伝送手順を実行する。
【０００８】
その結果、送信側ファクシミリ装置は、受付側リアルタイムインターネットゲートウェイ装置、インターネット、および、リモート側リアルタイムインターネットゲートウェイ装置を介し、受信側ファクシミリ装置との間でリアルタイムなファクシミリ通信が可能となり、リアルタイムに画情報を送信できる。
【０００９】
したがって、このリアルタイム型インターネットファクシミリ通信システムでは、ファクシミリ装置相互間における通信能力の確認がリアルタイムに行えるので、送信側ファクシミリ装置は、受信側ファクシミリ装置の通信能力に応じた画情報を送信できるとともに、通信結果を即時に得るので、再送動作などを迅速に行うことができる。
【００１０】
【発明が解決しようとする課題】
しかしながら、ＩＴＵ−Ｔ勧告Ｔ．３８に準拠したこのようなリアルタイム型インターネットファクシミリ通信システムでは、送信側グループ３ファクシミリ装置は、発呼時にＰＢ信号により受付側リアルタイムインターネットゲートウェイ装置に対して、受信側グループ３ファクシミリ装置の宛先情報を通知するようにしているため、通常の標準伝送手順を直接適用することができず、従前のグループ３ファクシミリ装置に対応させるためには、面倒な作業が必要となるというおそれがあった。
【００１１】
本発明は、かかる実情に鑑みてなされたものであり、従前のグループ３ファクシミリ装置を利用して、リアルタイム型インターネットファクシミリ通信システムを構築する際に便利なインターネットファクシミリ通信システムの制御方法を提供することを目的としている。
【００１２】
【課題を解決するための手段】
本発明は、アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側の上記ファクシミリ装置の電話番号を通知する一方、上記送信側のリアルタイムインターネットゲートウェイ装置は、所定の伝送前手順において、上記送信側ファクシミリ装置より通知された電話番号を抽出し、受信側インターネットゲートウェイ装置へ接続要求し、上記抽出した上記受信側ファクシミリ装置の電話番号を通知し、上記受信側インターネットゲートウェイ装置は、上記送信側インターネットゲートウェイ装置から通知された上記受信側ファクシミリ装置の電話番号を用いて、上記受信側ファクシミリ装置へ発呼するようにしたものである。
【００１３】
また、アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側の上記ファクシミリ装置の電話番号および認証用パスワードを通知する一方、上記送信側のリアルタイムインターネットゲートウェイ装置は、所定の伝送前手順において、上記送信側ファクシミリ装置より通知された電話番号および認証用パスワードを抽出し、その抽出した認証用パスワードにより上記送信側ファクシミリ装置を接続可能と判断したときには、受信側インターネットゲートウェイ装置へ接続要求し、上記抽出した上記受信側ファクシミリ装置の電話番号を通知し、上記受信側インターネットゲートウェイ装置は、上記送信側インターネットゲートウェイ装置から通知された上記受信側ファクシミリ装置の電話番号を用いて、上記受信側ファクシミリ装置へ発呼するようにしたものである。
【００１４】
また、アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側の上記ファクシミリ装置の電話番号を通知する一方、上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータから電話番号を抽出し、受信側インターネットゲートウェイ装置へ接続要求し、上記抽出した上記受信側ファクシミリ装置の電話番号を通知し、上記受信側インターネットゲートウェイ装置は、上記送信側インターネットゲートウェイ装置から通知された上記受信側ファクシミリ装置の電話番号を用いて、上記受信側ファクシミリ装置へ発呼するようにしたものである。
【００１５】
また、アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側の上記ファクシミリ装置の電話番号および認証用パスワードを通知する一方、上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータから電話番号および認証用パスワードを抽出し、その抽出した認証用パスワードにより上記送信側ファクシミリ装置を接続可能と判断したときには、受信側インターネットゲートウェイ装置へ接続要求し、上記抽出した上記受信側ファクシミリ装置の電話番号を通知し、上記受信側インターネットゲートウェイ装置は、上記送信側インターネットゲートウェイ装置から通知された上記受信側ファクシミリ装置の電話番号を用いて、上記受信側ファクシミリ装置へ発呼するようにしたものである。
【００１６】
また、アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側端末装置のＩＰアドレスを通知する一方、上記送信側のリアルタイムインターネットゲートウェイ装置は、所定の伝送前手順において、上記送信側ファクシミリ装置より通知されたＩＰアドレスを抽出し、受信側インターネットゲートウェイ装置へ接続要求し、上記抽出したＩＰアドレスを通知し、上記受信側インターネットゲートウェイ装置は、上記送信側インターネットゲートウェイ装置から通知されたＩＰアドレスを用いて、宛先の上記端末装置へ接続要求するようにしたものである。
【００１７】
また、アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側端末装置のＩＰアドレスおよび認証用パスワードを通知する一方、上記送信側のリアルタイムインターネットゲートウェイ装置は、所定の伝送前手順において、上記送信側ファクシミリ装置より通知されたＩＰアドレスおよび認証用パスワードを抽出し、その抽出した認証用パスワードにより上記送信側ファクシミリ装置を接続可能と判断したときには、受信側インターネットゲートウェイ装置へ接続要求し、上記抽出したＩＰアドレスを通知し、上記受信側インターネットゲートウェイ装置は、上記送信側インターネットゲートウェイ装置から通知されたＩＰアドレスを用いて、宛先の上記端末装置へ接続要求するようにしたものである。
【００１８】
また、アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側端末装置のＩＰアドレスを通知する一方、上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータからＩＰアドレスを抽出し、受信側インターネットゲートウェイ装置へ接続要求し、上記抽出したＩＰアドレスを通知し、上記受信側インターネットゲートウェイ装置は、上記送信側インターネットゲートウェイ装置から通知されたＩＰアドレスを用いて、宛先の上記端末装置へ接続要求するようにしたものである。
【００１９】
また、アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側端末装置のＩＰアドレスおよび認証用パスワードを通知する一方、上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータからＩＰアドレスおよび認証用パスワードを抽出し、その抽出した認証用パスワードにより上記送信側ファクシミリ装置を接続可能と判断したときには、受信側インターネットゲートウェイ装置へ接続要求し、上記抽出したＩＰアドレスを通知し、上記受信側インターネットゲートウェイ装置は、上記送信側インターネットゲートウェイ装置から通知されたＩＰアドレスを用いて、宛先の上記端末装置へ接続要求するようにしたものである。
【００２０】
また、アナログ公衆網を介してファクシミリ装置と画情報をやりとりする機能と、インターネットを介して情報をやりとりする機能を備えるリアルタイムインターネットゲートウェイ装置を複数設け、インターネットを介して上記ファクシミリ装置間のファクシミリ通信をリアルタイムに実現するインターネットファクシミリ通信システムの制御方法において、上記アナログ網は、発信者番号通知機能を備えるとともに、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、少なくとも、受信側の上記ファクシミリ装置の電話番号を通知する一方、上記送信側のリアルタイムインターネットゲートウェイ装置は、所定の伝送前手順において、上記送信側ファクシミリ装置より通知された電話番号を抽出する一方、その着信時に上記アナログ公衆網から通知された発信者番号に基づいて上記送信側ファクシミリ装置を接続可能と判断したときには、受信側インターネットゲートウェイ装置へ接続要求し、上記抽出した上記受信側ファクシミリ装置の電話番号を通知し、上記受信側インターネットゲートウェイ装置は、上記送信側インターネットゲートウェイ装置から通知された上記受信側ファクシミリ装置の電話番号を用いて、上記受信側ファクシミリ装置へ発呼するようにしたものである。
【００２１】
また、アナログ公衆網を介してファクシミリ装置と画情報をやりとりする機能と、インターネットを介して情報をやりとりする機能を備えるリアルタイムインターネットゲートウェイ装置を複数設けるとともに、このリアルタイムインターネットゲートウェイ装置と同様のリアルタイムインターネットゲートウェイプロトコル機能を備えた端末装置を設け、インターネットを介して上記ファクシミリ装置と上記端末装置との間のファクシミリ通信をリアルタイムに実現するインターネットファクシミリ通信システムの制御方法において、上記アナログ網は、発信者番号通知機能を備えるとともに、送信側の上記ファクシミリ装置は、送信側の上記リアルタイムインターネットゲートウェイ装置へ発呼し、その送信側の上記リアルタイムインターネットゲートウェイ装置に対し、所定の伝送前手順において、ＢＦＴモードの使用を宣言し、最初のＢＦＴデータとして、少なくとも、受信側端末装置のＩＰアドレスを通知する一方、上記送信側のリアルタイムインターネットゲートウェイ装置は、所定の伝送前手順において、上記送信側ファクシミリ装置よりＢＦＴモードの使用が宣言されると、そのＢＦＴモードの伝送手順に従って最初のＢＦＴデータを受信し、その受信したＢＦＴデータからＩＰアドレスを抽出する一方、その着信時に上記アナログ公衆網から通知された発信者番号に基づいて上記送信側ファクシミリ装置を接続可能と判断したときには、受信側インターネットゲートウェイ装置へ接続要求し、上記抽出したＩＰアドレスを通知し、上記受信側インターネットゲートウェイ装置は、上記送信側インターネットゲートウェイ装置から通知されたＩＰアドレスを用いて、宛先の上記端末装置へ接続要求するようにしたものである。
【００２２】
【発明の実施の形態】
以下、添付図面を参照しながら、本発明の実施の形態を詳細に説明する。
【００２３】
図１は、本発明の一実施例にかかるリアルタイム型インターネットファクシミリ通信システムの一例を示している。
【００２４】
このリアルタイム型インターネットファクシミリ通信システムは、公衆電話網ＰＳＴＮに接続されたグループ３ファクシミリ装置ＦＧ１，ＦＧ２、公衆電話網ＰＳＴＮに接続されてグループ３ファクシミリ装置ＦＧ１，ＦＧ２との間でファクシミリ通信を行う機能と、インターネットＩＮＥＴに接続されてインターネットＩＮＥＴを介して所定のリアルタイム伝送手順を行う機能を備えたリアルタイムインターネットゲートウェイ装置ＧＷ１，ＧＷ２、および、インターネットＩＮＥＴに接続されてインターネットＩＮＥＴを介して所定のリアルタイム伝送手順およびそれ以外の通信プロトコルを行う機能を備えたワークステーション装置ＷＳから構成される。
【００２５】
ここで、グループ３ファクシミリ装置ＦＧ１とリアルタイムインターネットゲートウェイ装置ＧＷ１が同一地域内に設置されるとともに、グループ３ファクシミリ装置ＦＧ２とリアルタイムインターネットゲートウェイ装置ＧＷ２が同一地域内に設置され、それらの設置地域は、相互に遠隔地域である。また、ワークステーション装置ＷＳは、適宜な地域に設置されていて良い。
【００２６】
したがって、この場合、グループ３ファクシミリ装置ＦＧ１については、リアルタイムインターネットゲートウェイ装置ＧＷ１が通信サービスを提供し、また、グループ３ファクシミリ装置ＦＧ２については、リアルタイムインターネットゲートウェイ装置ＧＷ２が通信サービスを提供している。
【００２７】
なお、グループ３ファクシミリ装置ＦＧ１，ＦＧ２は、グループ３ファクシミリ伝送機能を備え、公衆電話網ＰＳＴＮを介し、グループ３ファクシミリ伝送手順を実行して、画情報伝送する機能を備えたものである。
【００２８】
図２は、リアルタイムインターネットゲートウェイファクシミリ装置ＧＷ（ＧＷ１，ＧＷ２）の構成例を示している。
【００２９】
同図において、システム制御部１は、このリアルタイムインターネットゲートウェイファクシミリ装置の各部の制御処理、ファクシミリ伝送制御手順（ＩＴＵ−Ｔ勧告Ｔ．３０手順）処理、および、リアルタイム伝送制御手順（ＩＴＵ−Ｔ勧告Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このリアルタイムインターネットゲートウェイファクシミリ装置に固有な各種の情報を記憶するためのものであり、時計回路４は、現在時刻情報を出力するものである。
【００３０】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００３１】
符号化復号化部８は、画信号を符号化圧縮するとともに、符号化圧縮されている画情報を元の画信号に復号化するためのものであり、この場合には、画情報受信時のエラー検出を主目的として用いられる。また、画像蓄積装置９は、符号化圧縮された状態の画情報を多数記憶するためのものである。
【００３２】
網制御装置１０は、このリアルタイムインターネットゲートウェイファクシミリ装置を公衆電話網ＰＳＴＮに接続するためのものであり、自動発着信機能を備えている。
【００３３】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３４】
インターネット通信制御部１２は、このリアルタイムインターネットゲートウェイファクシミリ装置をインターネットＩＮＥＴへ接続し、インターネットＩＮＥＴを介して種々のデータをやりとりするためのものであり、ＴＣＰ／ＩＰパケット解析部１３は、インターネット通信制御部１２が受信したＴＣＰ／ＩＰパケットを解析して受信情報を取り出すためのものであり、グループ３プロトコル情報生成部１４は、リアルタイム伝送手順において、ＴＣＰ／ＩＰパケット解析部１３から出力される受信情報を対応するグループ３伝送手順信号情報に変換するものである。
【００３５】
グループ３プロトコル情報取出部１５は、リアルタイム伝送手順において、送信するグループ３ファクシミリ伝送手順情報を取り出すためのものであり、ＴＣＰ／ＩＰパケット変換部１６は、グループ３プロトコル情報取出部１５から出力されるグループ３ファクシミリ伝送手順情報をＴＣＰ／ＩＰパケットデータへ変換するためのものであり、その出力データは、インターネット通信制御部１２へ加えられる。
【００３６】
これらの、システム制御部１、システムメモリ２、パラメータメモリ３、時計回路４、スキャナ５、プロッタ６、操作表示部７、符号化復号化部８、画像蓄積装置９、網制御装置１０、グループ３ファクシミリモデム１１、グループ３プロトコル情報生成部１４、および、グループ３プロトコル情報取出部１５は、内部バス１７に接続されており、これらの各要素間でのデータのやりとりは、主としてこの内部バス１７を介して行われている。
【００３７】
また、網制御装置１０とグループ３ファクシミリモデム１１との間のデータのやりとりは、直接行なわれている。
【００３８】
さて、このようなリアルタイム型インターネットファクシミリ通信システムにおいて、グループ３ファクシミリ装置ＦＧ１からグループ３ファクシミリ装置ＦＧ２へ画情報通信する場合の動作について説明する（図３参照）。
【００３９】
まず、グループ３ファクシミリ装置ＦＧ１は、リアルタイムインターネットゲートウェイ装置ＧＷ１へ発呼し、信号ＣＮＧをリアルタイムインターネットゲートウェイ装置ＧＷ１へ送出する。
【００４０】
それにより、リアルタイムインターネットゲートウェイ装置ＧＷ１は、着信応答し、信号ＣＥＤおよびダミーの信号ＤＩＳをグループ３ファクシミリ装置ＦＧ１へ送出する。
【００４１】
これにより、グループ３ファクシミリ装置ＦＧ１は、認証用のパスワードを運ぶための信号ＳＩＤ、宛先情報を運ぶための信号ＳＵＢ、自端末の識別情報を運ぶための信号ＴＳＩ、および、使用する伝送機能を通知するための信号ＤＣＳ、続いて、モデムトレーニングのための信号ＴＣＦをリアルタイムインターネットゲートウェイ装置ＧＷ１へ順次送出する。
【００４２】
ここで、宛先情報は、最終宛先がグループ３ファクシミリ装置ＦＧ２の場合には、このグループ３ファクシミリ装置ＦＧ２の電話番号がそのままセットされ、また、最終宛先がリアルタイムインターネットゲートウェイ装置ＧＷ２またはワークステーション装置ＷＳの場合には、これらの装置に割り当てられているＩＰアドレスがセットされる。
【００４３】
ただし、ＩＰアドレスに使用されている「．（ドット；ピリオド）」は、信号ＳＵＢの情報フィールドに使用することができないので、例えば、ＩＰアドレスの値が「２００．２００．２００．２００」の場合には、宛先情報は、「−２００−２００−２００−２００」という値に変換される。すなわち、ＩＰアドレスの前には、この宛先情報の内容がＩＰアドレスであることを明示するための「−（マイナス；ハイフン）」が付加され、ＩＰアドレスの「．」に代えて「−」が使用される。
【００４４】
したがって、この宛先情報を受信した端末装置は、その内容がＩＰアドレスであるか電話番号であるかを明確に知ることができるとともに、ＩＰアドレスと認識した場合には、元のＩＰアドレスを適切に形成することができる。
【００４５】
さて、リアルタイムインターネットゲートウェイ装置ＧＷ１では、受信した信号ＳＩＤに含まれるパスワードを調べて、その値が所定値に一致した場合には、このときの通信を正常受付する。
【００４６】
このように、グループ３ファクシミリ装置ＦＧ１からの送信要求を正常受付すると、リアルタイムインターネットゲートウェイ装置ＧＷ１は、信号ＳＵＢで通知される宛先情報（この場合は、電話番号）を抽出し、あらかじめ登録されている対向ゲートウェイ装置であるリアルタイムインターネットゲートウェイ装置ＧＷ２のＩＰアドレスを用いて、リアルタイムインターネットゲートウェイ装置ＧＷ２に対し、抽出した宛先情報を通知した状態で、通信のための接続を要求する。
【００４７】
そして、リアルタイムインターネットゲートウェイ装置ＧＷ２は、リアルタイムインターネットゲートウェイ装置ＧＷ１より接続要求されると接続確認応答し、通知された宛先情報の電話番号へ発呼して、グループ３ファクシミリ装置ＦＧ２との間で、回線を確立する。
【００４８】
このようにして、公衆電話網ＰＳＴＮを介してグループ３ファクシミリ装置ＦＧ１とリアルタイムインターネットゲートウェイ装置ＧＷ１との間に通信パスが形成され、インターネットＩＮＥＴを介してリアルタイムインターネットゲートウェイ装置ＧＷ１とリアルタイムインターネットゲートウェイ装置ＧＷ２の間に通信パスが形成され、公衆電話網ＰＳＴＮを介してリアルタイムインターネットゲートウェイ装置ＧＷ１とグループ３ファクシミリ装置ＦＧ２との間に通信パスが形成されることで、グループ３ファクシミリ装置ＦＧ１とグループ３ファクシミリ装置ＦＧ２の間にリアルタイム的な通信パスが形成され、それ以降は、基本的には、このグループ３ファクシミリ装置ＦＧ１とグループ３ファクシミリ装置ＦＧ２の間のリアルタイム的な通信パスが使用されて、グループ３ファクシミリ装置ＦＧ１からグループ３ファクシミリ装置ＦＧ２へ画情報が送信される。
【００４９】
ただし、受信側のグループ３ファクシミリ装置ＦＧ２が着信応答して最初のファクシミリ信号を送出するまでの間、送信側のグループ３ファクシミリ装置ＦＧ１は、伝送前手順において適切な応答信号を受信できないので、伝送手順に従って、信号ＳＩＤ，ＳＵＢ，ＴＳＩ，ＤＣＳ、および、信号ＴＣＦを繰り返し送出する。
【００５０】
そして、グループ３ファクシミリ装置ＦＧ１とグループ３ファクシミリ装置ＦＧ２との間に通信パスが確立された後は、適切に勧告Ｔ．３８と同様な伝送手順により、グループ３ファクシミリ装置ＦＧ１とグループ３ファクシミリ装置ＦＧ２との間でグループ３ファクシミリ通信動作が実行される。
【００５１】
なお、この場合、それぞれのファクシミリ信号は、それらを運ぶパケット・データとして、リアルタイムインターネットゲートウェイ装置ＧＷ１とリアルタイムインターネットゲートウェイ装置ＧＷ２の間で、インターネットＩＮＥＴを介してやりとりされる。このパケット・データの信号形式の一例を図４に示す。
【００５２】
一方、グループ３ファクシミリ装置ＦＧ１が認証用に送出したパスワードの値が適切でない場合には、図５に示すように、リアルタイムインターネットゲートウェイ装置ＧＷ１は、信号ＳＩＤの内容に基づいた認証で、エラーが発生するため、その時点で、ファクシミリ通信を強制終了するために信号ＦＮＶをグループ３ファクシミリ装置ＦＧ１へ送出する。
【００５３】
これにより、グループ３ファクシミリ装置ＦＧ１は、信号ＤＣＮを送出して回線を復旧し、このときの動作をエラー終了する。
【００５４】
また、グループ３ファクシミリ装置ＦＧ１のユーザが指定した最終宛先がリアルタイムインターネットゲートウェイ装置ＧＷ２、あるいは、ワークステーション装置ＷＳの場合には、リアルタイムインターネットゲートウェイ装置ＧＷ１は、そのＩＰアドレスに対して、リアルタイムファクシミリ伝送要求した状態（例えば、特定のポート番号を指定する）で、直接的に接続要求する。
【００５５】
それにより、グループ３ファクシミリ装置ＦＧ１から最終宛先までの通信パスが確立し、それ以降は、上述した場合と同様な通信動作が実行される。
【００５６】
図６は、この場合に、グループ３ファクシミリ装置ＦＧ１，ＦＧ２が送信時に実行する処理の一例を示している。
【００５７】
ユーザが送信原稿をセットし（処理１０１）、宛先を入力し（処理１０２）、スタートキー（図示略）を押し下げて送信開始を指令すると（処理１０３）、グループ３ファクシミリ装置は、あらかじめ指定されている送信側リアルタイムインターネットゲートウェイ装置へ発呼し（処理１０４）、この送信側リアルタイムインターネットゲートウェイ装置より信号ＣＥＤ，ＤＩＳを受信する（処理１０５）。
【００５８】
それにより、グループ３ファクシミリ装置は、認証用のパスワードをセットした信号ＳＩＤ、そのときに指定された宛先情報をセットした信号ＳＵＢ、自端末の識別情報を運ぶための信号ＴＳＩ、および、使用する伝送機能を通知するための信号ＤＣＳを送信側リアルタイムインターネットゲートウェイ装置へ送出し（処理１０６）、続いて、モデムトレーニングのための信号ＴＣＦを送信側リアルタイムインターネットゲートウェイ装置へ送出する（処理１０７）。
【００５９】
そして、この信号ＴＣＦの応答信号として、信号ＣＦＲまたは信号ＦＶＮを受信するかどうかを調べ（判断１０８，１０９）、いずれの信号も受信できない場合には、所定時間を待ち（処理１１０）、処理１０６へ戻って、再度、信号ＳＩＤ，ＳＵＢ，ＴＳＩ，ＤＣＳの送出から繰り返し行う。
【００６０】
ここで、信号ＴＣＦの応答信号として信号ＣＦＲを受信した場合で、判断１０８の結果がＹＥＳになるときには、送信側リアルタイムインターネットゲートウェイ装置がユーザ認証に成功した場合であり、リアルタイム型インターネットファクシミリ通信システムを利用することができる。
【００６１】
したがって、このときのファクシミリ通信手順を継続実行し、画情報を送信し（処理１１１）、画情報の送信を終了すると、所定の伝送後手順を実行し（処理１１２）、回線を復旧して（処理１１３）、このときの送信動作を正常終了する。
【００６２】
一方、信号ＴＣＦの応答信号として信号ＦＶＮを受信した場合で、判断１０９の結果がＹＥＳになるときには、送信側リアルタイムインターネットゲートウェイ装置がユーザ認証に失敗した場合であり、リアルタイム型インターネットファクシミリ通信システムを利用することができない。
【００６３】
したがって、この場合には、送信側リアルタイムインターネットゲートウェイ装置へ信号ＤＣＮを送出し（処理１１４）、回線を復旧して（処理１１５）、このときの送信動作をエラー終了する。
【００６４】
図７は、この場合に、送信側リアルタイムインターネットゲートウェイ装置の処理の一例を示している。
【００６５】
着信検出すると（判断２０１の結果がＹＥＳ）、送信側リアルタイムインターネットゲートウェイ装置は、着信応答し（処理２０２）、信号ＣＥＤとダミーの信号ＤＩＳを送信側グループ３ファクシミリ装置へ順次送出し（処理２０３）、次いで、送信側グループ３ファクシミリ装置より、信号ＳＩＤ，ＳＵＢ，ＴＳＩ，ＤＣＳを受信する（処理２０４）。
【００６６】
ここで、信号ＳＩＤよりパスワードを抽出し、パスワード認証を行い（処理２０５）、その結果がＯＫであれば（判断２０６の結果がＹＥＳ）、信号ＣＦＲを応答する（処理２０７）。
【００６７】
次いで、信号ＳＵＢで通知される宛先情報を抽出し、あらかじめ登録されている受信側リアルタイムインターネットゲートウェイ装置のＩＰアドレスを用いて、受信側リアルタイムインターネットゲートウェイ装置に対し、抽出した宛先情報を通知した状態で、通信のための接続を要求し（処理２０８）、受信側リアルタイムインターネットゲートウェイ装置との間でインターネットＩＮＥＴを用いた接続を確立する（処理２０９）。
【００６８】
次いで、送信側グループ３ファクシミリ装置と受信側グループ３ファクシミリ装置との間でやりとりする伝送手順信号を、それぞれ送信側リアルタイムインターネットゲートウェイ装置と受信側リアルタイムインターネットゲートウェイ装置がインターネットＩＮＥＴを介して中継する態様の通信動作（図３参照）である送信側ＧＷ処理を実行する（処理２１０）。
【００６９】
送信側グループ３ファクシミリ装置と受信側グループ３ファクシミリ装置との間の画情報伝送動作が終了し、この送信側ＧＷ処理が終了すると、受信側リアルタイムインターネットゲートウェイ装置とのインターネットＩＮＥＴ上の接続終了し（処理２１１）、送信側グループ３ファクシミリ装置との間の呼を切断解放し（処理２１２）、この動作を終了する。
【００７０】
一方、信号ＳＩＤのパスワードによる認証に失敗した場合で、判断２０６の結果がＮＯになるときには、通信を強制終了させるために信号ＦＶＮを送出し（処理２１３）、送信側グループ３ファクシミリ装置より信号ＤＣＮを受信すると（処理２１４）、回線を復旧して（処理２１５）、このときの動作を終了する。
【００７１】
図８は、この場合に、受信側リアルタイムインターネットゲートウェイ装置の処理の一例を示している。この処理は、宛先情報が電話番号の場合である。
【００７２】
受信側リアルタイムインターネットゲートウェイ装置は、送信側リアルタイムインターネットゲートウェイ装置より接続要求されると、その送信側リアルタイムインターネットゲートウェイ装置へ接続確認を応答して、送信側リアルタイムインターネットゲートウェイ装置との間でインターネットＩＮＥＴ上の接続を確立し（処理３０１）、送信側リアルタイムインターネットゲートウェイ装置より通知される電話番号へ、公衆電話網ＰＳＴＮを用いて発呼し（処理３０２）、受信側グループ３ファクシミリ装置との間に呼を確立する。
【００７３】
それ以降は、送信側グループ３ファクシミリ装置と受信側グループ３ファクシミリ装置との間でやりとりする伝送手順信号を、それぞれ送信側リアルタイムインターネットゲートウェイ装置と受信側リアルタイムインターネットゲートウェイ装置がインターネットＩＮＥＴを介して中継する態様の通信動作（図３参照）である受信側ＧＷ処理を実行する（処理３０３）。
【００７４】
送信側グループ３ファクシミリ装置と受信側グループ３ファクシミリ装置との間の画情報伝送動作が終了し、この受信側ＧＷ処理が終了すると、送信側リアルタイムインターネットゲートウェイ装置とのインターネットＩＮＥＴ上の接続終了し（処理３０４）、受信側グループ３ファクシミリ装置との間の回線を復旧し（処理３０５）、この動作を終了する。
【００７５】
このようにして、本実施例では、送信側のグループ３ファクシミリ装置ＦＧ１から、受付側のリアルタイムインターネットゲートウェイ装置ＧＷ１に対して、認証用パスワードと宛先情報を、標準的なファクシミリ信号を用いて送信するので、特別な機能を備えていない従前のグループ３ファクシミリ装置を利用して、容易にリアルタイムインターネットファクシミリ通信システムを構築することができる。
【００７６】
ところで、上述した実施例では、送信側グループ３ファクシミリ装置は、信号ＳＩＤ，ＳＵＢを用いて、それぞれ認証用パスワードおよび宛先情報を送信側リアルタイムインターネットゲートウェイ装置へ通知しているが、このように、送信側グループ３ファクシミリ装置から送信側リアルタイムインターネットゲートウェイ装置へ通知する各種情報を、ＢＦＴモードのデータとして送信することもできる。
【００７７】
その場合、例えば、図９に示すように、対向ゲートウェイである受信側リアルタイムインターネットゲートウェイ装置を指定するための「対向ゲートウェイＩＰアドレス」、最終宛先であるグループ３ファクシミリ装置の電話番号あるいはリアルタイムインターネットゲートウェイ装置またはワークステーション装置ＷＳのＩＰアドレスが配置される「最終宛先情報」、そのときの送信ユーザが入力した「ユーザＩＤ」および「パスワード」を、送信側リアルタイムインターネットゲートウェイ装置へ通知することができる。
【００７８】
したがって、この場合、対向リアルタイムインターネットゲートウェイ装置として任意のリアルタイムインターネットゲートウェイ装置を使用することができ、使い勝手が大幅に拡大する。また、ユーザＩＤとパスワードでユーザ認証できるので、ユーザ認証の確実性が向上し、セキュリティ上有利である。
【００７９】
また、この場合、ＢＦＴデータとして送信できるデータ内容には制限がないので、ＩＰアドレスは、そのままの形式で表現することができる。
【００８０】
この場合の動作について、図１０を参照して説明する。
【００８１】
まず、グループ３ファクシミリ装置ＦＧ１（送信側グループ３ファクシミリ装置）は、リアルタイムインターネットゲートウェイ装置ＧＷ１（送信側リアルタイムインターネットゲートウェイ装置）へ発呼し、信号ＣＮＧをリアルタイムインターネットゲートウェイ装置ＧＷ１へ送出する。
【００８２】
それにより、リアルタイムインターネットゲートウェイ装置ＧＷ１は、着信応答し、信号ＣＥＤおよびＢＦＴモードをオンにセットしたダミーの信号ＤＩＳをグループ３ファクシミリ装置ＦＧ１へ送出する。
【００８３】
これにより、グループ３ファクシミリ装置ＦＧ１は、ＢＦＴモードをセットした信号ＤＣＳを送出し、続いて、モデムトレーニングのために信号ＴＣＦを送出する。
【００８４】
リアルタイムインターネットゲートウェイ装置ＧＷ１は、信号ＴＣＦの応答信号として信号ＣＦＲを送出し、それにより、グループ３ファクシミリ装置ＦＧ１は、図９に示したような各種情報を、ＢＦＴデータとしてリアルタイムインターネットゲートウェイ装置ＧＷ１へ送出し、伝送後信号として信号ＥＯＭをリアルタイムインターネットゲートウェイ装置ＧＷ１へ送出する。
【００８５】
リアルタイムインターネットゲートウェイ装置ＧＷ１は、グループ３ファクシミリ装置ＦＧ１より受信したＢＦＴデータのユーザＩＤとパスワードを用いて認証処理を行い、その認証処理が正常終了した場合には、このときの通信を正常受付する。
【００８６】
このように、グループ３ファクシミリ装置ＦＧ１からの送信要求を正常受付すると、リアルタイムインターネットゲートウェイ装置ＧＷ１は、対向ゲートウェイＩＰアドレスで指定されたＩＰアドレスを用いて、対向ゲートウェイ装置（この場合は、リアルタイムインターネットゲートウェイ装置ＧＷ２）に対し、通知された宛先情報を通知した状態で、通信のための接続を要求する。
【００８７】
リアルタイムインターネットゲートウェイ装置ＧＷ２は、リアルタイムインターネットゲートウェイ装置ＧＷ１より接続要求されると接続確認応答し、通知された宛先情報の電話番号へ発呼して、グループ３ファクシミリ装置ＦＧ２との間で、回線を確立する。
【００８８】
このようにして、公衆電話網ＰＳＴＮを介してグループ３ファクシミリ装置ＦＧ１とリアルタイムインターネットゲートウェイ装置ＧＷ１との間に通信パスが形成され、インターネットＩＮＥＴを介してリアルタイムインターネットゲートウェイ装置ＧＷ１とリアルタイムインターネットゲートウェイ装置ＧＷ２の間に通信パスが形成され、公衆電話網ＰＳＴＮを介してリアルタイムインターネットゲートウェイ装置ＧＷ１とグループ３ファクシミリ装置ＦＧ２との間に通信パスが形成されることで、グループ３ファクシミリ装置ＦＧ１とグループ３ファクシミリ装置ＦＧ２の間にリアルタイム的な通信パスが形成され、それ以降は、基本的には、このグループ３ファクシミリ装置ＦＧ１とグループ３ファクシミリ装置ＦＧ２の間のリアルタイム的な通信パスが使用されて、グループ３ファクシミリ装置ＦＧ１からグループ３ファクシミリ装置ＦＧ２へ画情報が送信される。
【００８９】
また、この場合には、送信側のグループ３ファクシミリ装置ＦＧ１は、ＢＦＴモードのデータ伝送を終了した後に、宛先のグループ３ファクシミリ装置ＦＧ２から信号ＤＩＳを受信することができるので、通常のグループ３ファクシミリ送信処理を適用して、画情報を送信する。
【００９０】
一方、グループ３ファクシミリ装置ＦＧ１が認証用に送出したユーザＩＤおよびパスワードの値が適切でない場合には、図１１に示すように、リアルタイムインターネットゲートウェイ装置ＧＷ１は、ＢＦＴデータの内容に基づいた認証で、エラーが発生するため、その時点で、ファクシミリ通信を強制終了するために信号ＦＤＭをグループ３ファクシミリ装置ＦＧ１へ送出する。
【００９１】
これにより、グループ３ファクシミリ装置ＦＧ１は、信号ＤＣＮを送出して回線を復旧し、このときの動作をエラー終了する。
【００９２】
なお、当然のことながら、この場合、リアルタイムインターネットゲートウェイ装置ＧＷ１，ＧＷ２には、このリアルタイムファクシミリ通信システムを利用するそれぞれのユーザについて、ユーザＩＤと対応するパスワードがあらかじめ登録されている。また、その登録は、適宜な操作により行われる。
【００９３】
図１２および図１３は、この場合に、グループ３ファクシミリ装置ＦＧ１，ＦＧ２が送信時に実行する処理の一例を示している。
【００９４】
ユーザが送信原稿をセットし（処理４０１）、宛先を入力し（処理４０２）、スタートキー（図示略）を押し下げて送信開始を指令すると（処理４０３）、グループ３ファクシミリ装置は、上述したようなＢＦＴデータを作成し（処理４０４）、次いで、あらかじめ指定されている送信側リアルタイムインターネットゲートウェイ装置へ発呼し（処理４０５）、この送信側リアルタイムインターネットゲートウェイ装置より信号ＣＥＤ，ＤＩＳ（ＢＦＴオン）を受信する（処理４０６）。
【００９５】
それにより、グループ３ファクシミリ装置は、ＢＦＴモードを指定するための信号ＤＣＳ（ＢＦＴ）を送信側リアルタイムインターネットゲートウェイ装置へ送出し（処理４０７）、続いて、モデムトレーニングのための信号ＴＣＦを送信側リアルタイムインターネットゲートウェイ装置へ送出する（処理４０８）。
【００９６】
送信側リアルタイムインターネットゲートウェイ装置より信号ＣＦＲを受信すると（処理４０９）、処理４０４で作成したＢＦＴデータを送出し（処理４１０）、伝送後信号として信号ＥＯＭを送出する（処理４１１）。
【００９７】
そして、この信号ＥＯＭの応答信号として、信号ＭＣＦまたは信号ＦＤＭのいずれかを受信するまで待つ（判断４１２，４１３のＮＯループ）。ここで、信号ＥＯＭの応答信号として信号ＭＣＦを受信した場合で、判断４１２の結果がＹＥＳになるときには、送信側リアルタイムインターネットゲートウェイ装置がユーザ認証に成功した場合であり、リアルタイム型インターネットファクシミリ通信システムを利用することができる。
【００９８】
したがって、このときのファクシミリ通信手順を継続実行し、フェーズＢの伝送前手順を再実行して相手端末との間で伝送機能を設定し（処理４１４）、モデムトレーニング手順を実行して使用するモデム速度を決定し（処理４１５）、画情報を送信し（処理４１６）、画情報の送信を終了すると、所定の伝送後手順を実行し（処理４１７）、回線を復旧して（処理４１８）、このときの送信動作を正常終了する。
【００９９】
一方、信号ＥＯＭの応答信号として信号ＦＤＭを受信した場合で、判断４１３の結果がＹＥＳになるときには、送信側リアルタイムインターネットゲートウェイ装置がユーザ認証に失敗した場合であり、リアルタイム型インターネットファクシミリ通信システムを利用することができない。
【０１００】
したがって、この場合には、送信側リアルタイムインターネットゲートウェイ装置へ信号ＤＣＮを送出し（処理４１９）、回線を復旧して（処理４２０）、このときの送信動作をエラー終了する。
【０１０１】
図１４および図１５は、この場合に、送信側リアルタイムインターネットゲートウェイ装置の処理の一例を示している。
【０１０２】
着信検出すると（判断５０１の結果がＹＥＳ）、送信側リアルタイムインターネットゲートウェイ装置は、着信応答し（処理５０２）、信号ＣＥＤと信号ＤＩＳ（ＢＦＴオン）を送信側グループ３ファクシミリ装置へ順次送出し（処理２０３）、次いで、送信側グループ３ファクシミリ装置より、信号ＤＣＳ（ＢＦＴ）を受信し（処理５０４）、モデムトレーニングのための信号ＴＣＦを受信する（処理５０５）。
【０１０３】
そして、モデムトレーニング完了のための信号ＣＦＲを送出し（処理５０６）、送信側グループ３ファクシミリ装置よりＢＦＴデータを受信し（処理５０７）、伝送後信号として信号ＥＯＭを受信する（処理５０８）。
【０１０４】
ここで、受信したＢＦＴデータよりユーザＩＤとパスワードを抽出し、その抽出したユーザＩＤとパスワードに基づいたユーザ認証を行い（処理５１０）、その結果がＯＫであれば（判断５１０の結果がＹＥＳ）、信号ＭＣＦを応答する（処理５１１）。
【０１０５】
次いで、受信したＢＦＴデータから宛先情報を抽出し、ＢＦＴデータで指定された対向リアルタイムインターネットゲートウェイＩＰアドレスを用いて、受信側リアルタイムインターネットゲートウェイ装置に対し、抽出した宛先情報を通知した状態で、通信のための接続を要求し（処理５１２）、受信側リアルタイムインターネットゲートウェイ装置との間でインターネットＩＮＥＴを用いた接続を確立する（処理５１３）。
【０１０６】
次いで、送信側グループ３ファクシミリ装置と受信側グループ３ファクシミリ装置との間でやりとりする伝送手順信号を、それぞれ送信側リアルタイムインターネットゲートウェイ装置と受信側リアルタイムインターネットゲートウェイ装置がインターネットＩＮＥＴを介して中継する態様の通信動作（図１０参照）である送信側ＧＷ処理を実行する（処理５１４）。
【０１０７】
送信側グループ３ファクシミリ装置と受信側グループ３ファクシミリ装置との間の画情報伝送動作が終了し、この送信側ＧＷ処理が終了すると、受信側リアルタイムインターネットゲートウェイ装置とのインターネットＩＮＥＴ上の接続終了し（処理５１５）、送信側グループ３ファクシミリ装置との間の呼を切断解放し（処理５１６）、この動作を終了する。
【０１０８】
一方、処理５０９のユーザ認証に失敗した場合で、判断５１０の結果がＮＯになるときには、通信を強制終了させるために信号ＦＤＭを送出し（処理５１７）、送信側グループ３ファクシミリ装置より信号ＤＣＮを受信すると（処理５１８）、回線を復旧して（処理５１９）、このときの動作を終了する。
【０１０９】
このようにして、本実施例では、ＢＦＴモードを用いて、送信側グループ３ファクシミリ装置から送信側リアルタイムインターネットゲートウェイ装置へ、対向ゲートウェイＩＰアドレス、最終宛先情報、ユーザＩＤおよびパスワードなどの種々の情報を通知するようにしているので、その通知できる各種情報の内容は制限されず、したがって、非常に柔軟な情報指定が可能であり、適切なリアルタイムファクシミリ通信を行うことができる。
【０１１０】
ところで、アナログ公衆電話網ＰＳＴＮのサービスの１つに、発信者側の電話番号を着信側へ通知する発信番号通知サービスがある。
【０１１１】
この発信番号通知サービスを受けている回線では、加入者線交換機は、ＩＤ受信端末に対して、図１６に示すようなシーケンスで発呼動作を行う。
【０１１２】
すなわち、加入者線交換機は、まず、回線Ｌ１，Ｌ２を極性反転した後に、所定のＩＤ受信端末起動信号を送出する。これにより、ＩＤ受信端末は、一次応答信号として直流ループを形成する。
【０１１３】
このようにして、ＩＤ受信端末が一次応答すると、加入者交換機は、発ＩＤ（発信者電話番号）等を所定信号形式（後述）のモデム信号（例えば、Ｖ．２３モデム信号）により送出し、ＩＤ受信端末は、そのモデム信号を受信すると、受信完了信号として直流ループを断する。
【０１１４】
このようにして、ＩＤ受信端末が発ＩＤを受信完了すると、加入者線交換機は、所定の呼出信号を送出し、ＩＤ受信端末は、呼出信号に応答して二次応答信号として直流ループを形成し、それにより、加入者交換機は、回線Ｌ１，Ｌ２を復極し、それ以降は、通常の通話（通信）動作が行われる。
【０１１５】
このような、発呼シーケンスにおいて、発ＩＤ等を送出する際のモデム信号の信号形式の一例を図１７に示す。
【０１１６】
この信号形式は、情報メッセージのヘッディングの開始を示す制御信号ＳＯＨ、交換機から端末への情報送出のためのヘッダ、テキストの開始およびヘッディングの終了を示す制御信号ＳＴＸ、送信情報の内容が発呼者通知サービスであることを通知するためのサービス種別、後続のパラメータ（１）〜パラメータ（ｎ）までの総バイト数を示すためのメッセージ内容長、送信情報の内容をなすパラメータ（１）〜パラメータ（ｎ）、テキストの終わりを示す制御信号ＥＴＸ、および、誤り検出符号ＣＨＫを順次配列したものである。なお、おのおのの制御信号の直前には、所定の透過モード用制御信号ＤＬＥが付加されている。
【０１１７】
また、おのおののパラメータは、パラメータの種別をあらわすパラメータ種別情報と、情報内容のバイト数をあらわす情報内容長情報と、送信する情報（この場合は、発呼者番号）をあらわす情報内容長情報からなる。
【０１１８】
なお、おのおのの制御信号は、１語７ビット長のデータからなる。
【０１１９】
したがって、この場合、リアルタイムインターネットゲートウェイ装置ＧＷ１，ＧＷ２は、グループ３ファクシミリ装置より送信要求を受け付けるとき、公衆電話網ＰＳＴＮより通知された発信番号により、その送信要求を受け付けるか否かを判断することができる。
【０１２０】
すなわち、公衆電話網ＰＳＴＮより通知された発信番号が、あらかじめユーザ登録されている電話番号に一致するときには、そのときの送信要求を受け付けるとともに、それ以外の場合には、そのときの送信要求を受け付けないようにして、ユーザ認証を行うことができる。
【０１２１】
また、ユーザ認証を公衆電話網ＰＳＴＮから通知される発信者番号で行うため、この場合には、送信側ファクシミリ装置は、認証用のパスワードを送るために信号ＳＩＤを送出する必要がない。
【０１２２】
図１８は、この場合に、送信側リアルタイムインターネットゲートウェイ装置の処理の一例を示している。
【０１２３】
着信検出すると（判断６０１の結果がＹＥＳ）、送信側リアルタイムインターネットゲートウェイ装置は、一次応答信号を送出し（処理６０２）、公衆電話網ＰＳＴＮの交換機より発ＩＤを受信する（処理６０３）。
【０１２４】
次いで、この受信した発ＩＤに含まれる発信者番号が、あらかじめ登録されているものであるかを調べ（処理６０４）、登録されていない場合で判断６０５の結果がＮＯになるときには、その時点で回線を復旧し（処理６０６）、そのときの着信をムシする。
【０１２５】
一方、公衆電話網ＰＳＴＮより通知された発信者番号が登録されている場合で、判断６０５の結果がＹＥＳになるときには、受信完了信号を送出し（処理６０７）、公衆電話網ＰＳＴＮより呼出信号が送出されるまで待つ（判断６０８のＮＯループ）。
【０１２６】
公衆電話網ＰＳＴＮより送出された呼出信号を検出し、判断６０６の結果がＹＥＳになると、二次応答信号を送出し（処理６０９）、信号ＣＥＤとダミーの信号ＤＩＳを送信側グループ３ファクシミリ装置へ順次送出し（処理６１０）、次いで、送信側グループ３ファクシミリ装置より、信号ＳＵＢ，ＴＳＩ，ＤＣＳを受信する（処理６１１）。
【０１２７】
次いで、信号ＳＵＢで通知される宛先情報を抽出し、あらかじめ登録されている受信側リアルタイムインターネットゲートウェイ装置のＩＰアドレスを用いて、受信側リアルタイムインターネットゲートウェイ装置に対し、抽出した宛先情報を通知した状態で、通信のための接続を要求し（処理６１２）、受信側リアルタイムインターネットゲートウェイ装置との間でインターネットＩＮＥＴを用いた接続を確立する（処理６１３）。
【０１２８】
次いで、送信側グループ３ファクシミリ装置と受信側グループ３ファクシミリ装置との間でやりとりする伝送手順信号を、それぞれ送信側リアルタイムインターネットゲートウェイ装置と受信側リアルタイムインターネットゲートウェイ装置がインターネットＩＮＥＴを介して中継する態様の通信動作（図３参照）である送信側ＧＷ処理を実行する（処理６１４）。
【０１２９】
送信側グループ３ファクシミリ装置と受信側グループ３ファクシミリ装置との間の画情報伝送動作が終了し、この送信側ＧＷ処理が終了すると、受信側リアルタイムインターネットゲートウェイ装置とのインターネットＩＮＥＴ上の接続終了し（処理６１５）、送信側グループ３ファクシミリ装置との間の呼を切断解放し（処理６１６）、この動作を終了する。
【０１３０】
このようにして、本実施例では、送信側グループ３ファクシミリ装置が送信側リアルタイムインターネットゲートウェイ装置へ発呼する際に、ユーザ認証を行うようにしているので、送信側グループ３ファクシミリ装置から送信側リアルタイムインターネットゲートウェイ装置へ送信する情報を削減することができ、通信時間を短縮できて、通信コストを低減することができる。
【０１３１】
【発明の効果】
以上説明したように、本発明によれば、送信側のグループ３ファクシミリ装置から、受付側のリアルタイムインターネットゲートウェイ装置に対して、認証用パスワードと宛先情報を、標準的なファクシミリ信号を用いて送信するので、特別な機能を備えていない従前のグループ３ファクシミリ装置を利用して、容易にリアルタイムインターネットファクシミリ通信システムを構築することができるという効果を得る。
【０１３２】
また、ＢＦＴモードを用いて、送信側グループ３ファクシミリ装置から送信側リアルタイムインターネットゲートウェイ装置へ、対向ゲートウェイＩＰアドレス、最終宛先情報、ユーザＩＤおよびパスワードなどの種々の情報を通知するようにしているので、その通知できる各種情報の内容は制限されず、したがって、非常に柔軟な情報指定が可能であり、適切なリアルタイムファクシミリ通信を行うことができるという効果も得る。
【０１３３】
また、送信側グループ３ファクシミリ装置が送信側リアルタイムインターネットゲートウェイ装置へ発呼する際に、ユーザ認証を行うようにしているので、送信側グループ３ファクシミリ装置から送信側リアルタイムインターネットゲートウェイ装置へ送信する情報を削減することができ、通信時間を短縮できて、通信コストを低減することができるという効果も得る。
【図面の簡単な説明】
【図１】リアルタイム型インターネットファクシミリ通信システムの一例を示したブロック図。
【図２】リアルタイムインターネットゲートウェイファクシミリ装置ＧＷ（ＧＷ１，ＧＷ２）の構成例を示したブロック図。
【図３】リアルタイム型インターネットファクシミリ通信システムにおいて、グループ３ファクシミリ装置ＦＧ１からグループ３ファクシミリ装置ＦＧ２へ画情報通信する場合の動作について説明するためのタイムチャート。
【図４】パケット・データの信号形式の一例を示した概略図。
【図５】図３の場合で、ユーザ認証が失敗した場合の一例を示したタイムチャート。
【図６】グループ３ファクシミリ装置ＦＧ１，ＦＧ２が送信時に実行する処理の一例を示したフローチャート。
【図７】送信側リアルタイムインターネットゲートウェイ装置の処理の一例を示したフローチャート。
【図８】受信側リアルタイムインターネットゲートウェイ装置の処理の一例を示したフローチャート。
【図９】ＢＦＴデータの一例を示した概略図。
【図１０】リアルタイム型インターネットファクシミリ通信システムにおいて、グループ３ファクシミリ装置ＦＧ１からグループ３ファクシミリ装置ＦＧ２へ画情報通信する場合の他の例の動作について説明するためのタイムチャート。
【図１１】図１０の場合で、ユーザ認証が失敗した場合の動作の一例を示したタイムチャート。
【図１２】グループ３ファクシミリ装置ＦＧ１，ＦＧ２が送信時に実行する処理の他の例の一部を示したフローチャート。
【図１３】グループ３ファクシミリ装置ＦＧ１，ＦＧ２が送信時に実行する処理の他の例の他の部分を示したフローチャート。
【図１４】送信側リアルタイムインターネットゲートウェイ装置の処理の他の例の一部を示したフローチャート。
【図１５】送信側リアルタイムインターネットゲートウェイ装置の処理の他の例の他の部分を示したフローチャート。
【図１６】発信番号通知サービスを受けている回線における発呼動作シーケンスの一例を示すタイミングチャート。
【図１７】発ＩＤ等を送出する際のモデム信号の信号形式の一例を示した概略図。
【図１８】送信側リアルタイムインターネットゲートウェイ装置の処理のさらに他の例を示したフローチャート。
【符号の説明】
ＧＷ１，ＧＷ２  リアルタイムインターネットゲートウェイ装置
ＦＧ１，ＦＧ２  グループ３ファクシミリ装置
【図１】
0003856979.tif 000002
【図２】
0003856979.tif 000003
【図３】
0003856979.tif 000004
【図４】
0003856979.tif 000005
【図５】
0003856979.tif 000006
【図６】
0003856979.tif 000007
【図７】
0003856979.tif 000008
【図８】
0003856979.tif 000009
【図９】
0003856979.tif 000010
【図１０】
0003856979.tif 000011
【図１１】
0003856979.tif 000012
【図１２】
0003856979.tif 000013
【図１３】
0003856979.tif 000014
【図１４】
0003856979.tif 000015
【図１５】
0003856979.tif 000016
【図１６】
0003856979.tif 000017
【図１７】
0003856979.tif 000018
【図１８】
0003856979.tif 000019